(57)【要約】【課題】所定の商用サーバに接続される端末を、特定用途用の端末に容易に切り替える。【解決手段】設定装置であって、端末４から送信されるアカウントを受け付けて、当該アカウント用に割り当てられた特定用途サーバ２への接続先情報を設定情報記憶部１５に設定する設定部１１と、端末４から接続要求を受信すると、設定情報記憶部１５を参照して特定用途サーバの接続先情報を通知し、端末４を特定用途サーバ２に接続させる接続制御部１３と、を備える。【選択図】図１
2015197790.tif 000002
【特許請求の範囲】
【請求項１】
設定装置であって、
端末から送信されるアカウントを受け付けて、当該アカウント用に割り当てられた特定用途サーバへの接続先情報を設定情報記憶部に設定する設定部と、
前記端末から接続要求を受信すると、前記設定情報記憶部を参照して前記特定用途サーバの接続先情報を通知し、前記端末を前記特定用途サーバに接続させる接続制御部と、を備えること
を特徴とする設定装置。
【請求項２】
請求項１記載の設定装置であって、
前記アカウント用の特定用途サーバに、当該アカウント用の環境を作成する環境作成部を、さらに備えること
を特徴とする設定装置。
【請求項３】
請求項１または２記載の設定装置であって、
前記設定部は、前記端末を特定用途用の端末に設定するための設定アプリが前記端末から取得した端末情報を受信し、前記受信した端末情報を前記アカウントと対応付けて前記設定情報記憶部に設定すること
を特徴とする設定装置。
【請求項４】
請求項１から３のいずれか１項に記載の設定装置であって、
前記端末に所定のサービスを提供するサービス提供部を、さらに備えること
を特徴とする設定装置。
【請求項５】
端末と、当該端末を特定用途用の端末として設定する設定装置とを備える設定システムであって、
前記設定装置は、
前記端末から送信されるアカウントを受け付けて、当該アカウント用に割り当てられた特定用途サーバへの接続先情報を設定情報記憶部に設定する設定部と、
前記端末から接続要求を受信すると、前記設定情報記憶部を参照して前記特定用途サーバの接続先情報を通知し、前記端末を前記特定用途サーバに接続させる接続制御部と、を備え、
前記端末は、
前記設定装置が提供する、当該端末を特定用途用の端末に設定するための設定アプリが取得した端末情報を、前記アカウントとともに前記設定装置に送信する送信部と、
前記接続先情報を用いて前記特定用途サーバに接続する接続部と、を備えること
を特徴とする設定システム。
【請求項６】
請求項５記載の設定システムであって、
前記端末の接続部は、前記特定用途サーバから特定用途用アプリをダウンロードし、インストールすること
を特徴とする設定システム。
【請求項７】
コンピュータが行う設定方法であって、
端末から送信されるアカウントを受け付けて、当該アカウント用に割り当てられた特定用途サーバへの接続先情報を設定情報記憶部に設定する設定ステップと、
前記端末から接続要求を受信すると、前記設定情報記憶部を参照して前記特定用途サーバの接続先情報を通知し、前記端末を前記特定用途サーバに接続させる接続制御ステップと、を行うこと
を特徴とする設定方法。
【請求項８】
請求項７記載の設定方法であって、
前記アカウント用の特定用途サーバに、当該アカウント用の環境を作成する環境作成ステップを、さらに行うこと
を特徴とする設定方法。
【請求項９】
端末と、当該端末を特定用途用の端末として設定する設定装置とを備える設定システムが行う設定方法であって、
前記設定装置は、
前記端末から送信されるアカウントを受け付けて、当該アカウント用に割り当てられた特定用途サーバへの接続先情報を設定情報記憶部に設定する設定ステップと、
前記端末から接続要求を受信すると、前記設定情報記憶部を参照して前記特定用途サーバの接続先情報を通知し、前記端末を前記特定用途サーバに接続させる接続制御ステップと、を行い、
前記端末は、
前記設定装置が提供する、当該端末を特定用途用の端末に設定するための設定アプリが取得した端末情報を、前記アカウントとともに前記設定装置に送信する送信ステップと、
前記接続先情報を用いて前記特定用途サーバに接続する接続ステップと、
前記特定用途サーバから特定用途用アプリをダウンロードし、インストールするインストールステップと、を行うこと
を特徴とする設定システム。
【請求項１０】
コンピュータを、請求項１から４のいずれか１項に記載の設定装置として機能させるための設定プログラム。
【発明の詳細な説明】
【技術分野】
【０００１】
本発明は、特定用途の端末として設定するための設定装置、設定システム、設定方法、および、設定プログラムに関する。
【背景技術】
【０００２】
近年、セットトップボックスを用いてＴＶ（テレビ）からネットワークに接続し、様々なサービスやコンテンツをＴＶで利用することが行われている。例えば、特許文献１には、ＴＶを用いてインターネットに接続可能なＴＶセットトップボックスが記載されている。
【先行技術文献】
【特許文献】
【０００３】
【特許文献１】特開2004-533754号公報
【発明の概要】
【発明が解決しようとする課題】
【０００４】
セットトップボックスは、一般的に、あらかじめ設定された所定の商用サーバ（アプリマーケットなど）にのみ接続できるようになっている。そのため、アプリ開発会社がアプリの開発をする際には、以下のような手順で、当該アプリ開発会社が保有するセットトップボックスを開発環境が設定された他のサーバに接続する必要がある。すなわち、アプリ開発会社は、手動でセットトップボックスを開発用にセッティングし、当該セットトップボックスのＩＤを商用サーバの運用管理者に電話やメールで通知する。そして、商用サーバの運用管理者は、通知されたＩＤのセットトップボックスについては、開発環境が設定された他のサーバに接続するよう商用サーバに手動で設定するとともに、他のサーバに開発環境を手動で構築する必要がある。
【０００５】
このように、商用サーバの運用管理者の手動作業により環境構築が必要となるため、商用サーバに接続する一般のセットトップボックスから、アプリ開発用などの特定用途用のセットトップボックスに切り替えるには、作業負荷が大きく、また時間を要するという課題がある。また、特定用途用のセットトップボックスへの切り替えが、手動で行われるため、人的な作業ミスが発生する可能性がある。
【０００６】
本発明は、上記事情に鑑みてなされたものであり、本発明の目的は、所定の商用サーバに接続される端末を、特定用途用の端末に容易に切り替え可能な設定装置、設定システム、設定方法、および、設定プログラムを提供することにある。
【課題を解決するための手段】
【０００７】
上記目的を達成するため、本発明は、設定装置であって、端末から送信されるアカウントを受け付けて、当該アカウント用に割り当てられた特定用途サーバへの接続先情報を設定情報記憶部に設定する設定部と、前記端末から接続要求を受信すると、前記設定情報記憶部を参照して前記特定用途サーバの接続先情報を通知し、前記端末を前記特定用途サーバに接続させる接続制御部と、を備える。
【０００８】
前記設定装置は、前記アカウント用の特定用途サーバに、当該アカウント用の環境を作成する環境作成部を、さらに備えることとしてもよい。
【０００９】
前記設定装置において、前記設定部は、前記端末を特定用途用の端末に設定するための設定アプリが前記端末から取得した端末情報を受信し、前記受信した端末情報を前記アカウントと対応付けて前記設定情報記憶部に設定することとしてもよい。
【００１０】
前記設定装置は、前記端末に所定のサービスを提供するサービス提供部を、さらに備えることとしてもよい。
【００１１】
また、本発明は、端末と、当該端末を特定用途用の端末として設定する設定装置とを備える設定システムであって、前記設定装置は、前記端末から送信されるアカウントを受け付けて、当該アカウント用に割り当てられた特定用途サーバへの接続先情報を設定情報記憶部に設定する設定部と、前記端末から接続要求を受信すると、前記設定情報記憶部を参照して前記特定用途サーバの接続先情報を通知し、前記端末を前記特定用途サーバに接続させる接続制御部と、を備え、前記端末は、前記設定装置が提供する、当該端末を特定用途用の端末に設定するための設定アプリが取得した端末情報を、前記アカウントとともに前記設定装置に送信する送信部と、前記接続先情報を用いて前記特定用途サーバに接続する接続部と、を備える。
【００１２】
前記設定システムにおいて、前記端末の接続部は、前記特定用途サーバから特定用途用アプリをダウンロードし、インストールすることとしてもよい。
【００１３】
本発明は、コンピュータが行う設定方法であって、端末から送信されるアカウントを受け付けて、当該アカウント用に割り当てられた特定用途サーバへの接続先情報を設定情報記憶部に設定する設定ステップと、前記端末から接続要求を受信すると、前記設定情報記憶部を参照して前記特定用途サーバの接続先情報を通知し、前記端末を前記特定用途サーバに接続させる接続制御ステップと、を行う。
【００１４】
前記設定方法は、前記アカウント用の特定用途サーバに、当該アカウント用の環境を作成する環境作成ステップを、さらに行うこととしてもよい。
【００１５】
本発明は、端末と、当該端末を特定用途用の端末として設定する設定装置とを備える設定システムが行う設定方法であって、前記設定装置は、前記端末から送信されるアカウントを受け付けて、当該アカウント用に割り当てられた特定用途サーバへの接続先情報を設定情報記憶部に設定する設定ステップと、前記端末から接続要求を受信すると、前記設定情報記憶部を参照して前記特定用途サーバの接続先情報を通知し、前記端末を前記特定用途サーバに接続させる接続制御ステップと、を行い、前記端末は、前記設定装置が提供する、当該端末を特定用途用の端末に設定するための設定アプリが取得した端末情報を、前記アカウントとともに前記設定装置に送信する送信ステップと、前記接続先情報を用いて前記特定用途サーバに接続する接続ステップと、前記特定用途サーバから特定用途用アプリをダウンロードし、インストールするインストールステップと、を行う。
【００１６】
本発明は、コンピュータを、前記設定装置として機能させるための設定プログラムである。
【発明の効果】
【００１７】
本発明によれば、所定の商用サーバに接続される端末を、特定用途用の端末に容易に切り替え可能な設定装置、設定システム、設定方法、および、設定プログラムを提供することができる。
【図面の簡単な説明】
【００１８】
【図１】本発明の実施形態に係るシステムの全体構成を示す図である。
【図２】特定用途用の端末として設定する処理を説明するための説明図である。
【図３】本実施形態の処理を示すシーケンス図である。
【図４】企業アカウント記憶部の一例を示す図である。
【図５】企業アカウント入力画面の一例を示す図である。
【図６】設定情報記憶部の一例を示す図である。
【図７】環境設定の完了通知画面の一例を示す図である。
【図８】検証用端末のディスプレイに表示される画面の一例を示す図である。
【図９】アライアンス端末のディスプレイに表示される画面の一例を示す図である。
【図１０】自治体端末のディスプレイに表示される画面の一例を示す図である。
【発明を実施するための形態】
【００１９】
以下、本発明の実施の形態について、図面を参照して説明する。
【００２０】
図１は、本発明の実施形態に係るシステムの全体構成図である。図示するシステムは、設定装置１と、少なくとも１つの特定用途サーバ２と、使用者が使用する使用者端末３と、設定対象の端末４と、端末４に接続されたＴＶ（テレビ）５とを備える。
【００２１】
設定装置１は、例えば商用サーバなどであって、端末４に所定のサービスを提供するとともに、所望の端末４を特定用途用の端末として設定する。図示する設定装置１は、設定部１１と、環境作成部１２と、接続制御部１３と、企業アカウント記憶部１４と、設定情報記憶部１５と、企業情報記憶部１６と、設定アプリ記憶部１７と、サービス提供部１８とを備える。
【００２２】
設定部１１は、使用者端末３から企業情報を受信すると当該企業の企業アカウント（アカウント）およびパスワードを発行して企業アカウント記憶部１４に記憶する。また、設定部１１は、企業アカウントおよびパスワードと、端末４を特定用途用の端末に設定するための設定アプリを使用者端末３に送信する。また、設定部１１は、端末４から送信される企業アカウントを受け付けて、当該企業アカウント用に割り当てられた特定用途サーバ２への接続先情報を設定情報記憶部１５に設定する。具体的には、設定アプリが端末４から取得した端末情報を受信し、受信した端末情報を企業アカウントと対応付けて設定情報記憶部１５に設定する。
【００２３】
環境作成部１２は、各特定用途サーバ２に、対応する企業アカウント用の環境を作成する。接続制御部１３は、端末４から接続要求を受信すると、設定情報記憶部１５を参照して対応する特定用途サーバ２の接続先情報を通知し、端末４を特定用途サーバに接続させる。
【００２４】
企業アカウント記憶部１４には、企業アカウントとパスワードとが対応付けて記憶される。設定情報記憶部１５は、端末ＩＤと企業アカウントとが対応付けて記憶された端末情報テーブル１５１と、企業アカウントと特定用途サーバ２への接続情報とが対応付けて記憶された接続先サーバ情報テーブル１５２とを有する。設定アプリ記憶部１７には、端末４にインストールする設定アプリが記憶されている。サービス提供部１８は、特定用途用に設定していない一般の端末４に、所定のサービスを提供する。
【００２５】
なお、本実施形態では、使用者端末３の使用者は企業に属する場合を例として、企業アカウントを用いるものとしたが、使用者が属する団体は企業の限定されるものではなく、自治体など企業以外であってもよい。この場合、アカウントは、企業アカウントの替わりに、例えば、自地体アカウントなど様々なアカウントか用いられる。
【００２６】
特定用途サーバ２は、例えば、アプリ開発用、アライアンス企業用、自治体用などの特定用途のサービスを提供するサーバである。
【００２７】
使用者端末３は、アプリ開発会社、アライアンス企業、自治体などの使用者（システム管理者）が使用する端末３であって、パーソナルコンピュータ（ＰＣ）、スマートフォンなどを用いることができる。本実施形態の使用者端末３は、ネットワークを介して設定装置１にアクセスし、使用者が属する企業または自治体等の情報を設定装置１に送信する。
【００２８】
端末４は、設定装置１の運営会社が配布する端末であって、工場から出荷された状態においては、ネットワークを介して設定装置１にのみにアクセスし、設定装置１のサービス提供部１８が提供するサービスを利用するための装置（一般端末）である。本実施形態では、設定装置１が、初期状態の端末４（一般端末）を、使用者の要求に応じて、使用用途に応じた特定用途用の端末４へ自動で設定し、いずれかの特定用途サーバ２へのアクセスが可能となる。
【００２９】
端末４は、例えば、セットトップボックス（ＳＴＢ）、パーソナルコンピュータ、スマートフォンなどである。図示する端末４では、設定装置１が提供する設定アプリをインストールして起動することにより、送信部４１、接続部４２および表示部４３として機能する。送信部４１は、設定装置１が提供する設定アプリが取得した端末情報を、企業アカウントとともに設定装置１に送信する。接続部４２は、設定装置１から通知される接続先情報を用いて特定用途サーバ２に接続し、設定ファイルおよびアプリなどをダウンロードし、インストールする。表示部４３は、当該端末４に接続されたＴＶ５などのディスプレイに各種画面を表示する。
【００３０】
なお、本実施形態では、端末４は、セットトップボックスの場合を例として以下に説明するが、これに限定されるものではない。また、本実施形態の端末４には、ディスプレイとしてＴＶ５が接続されているものとするが、端末４自体がディスプレイを備える場合は、ＴＶ５はなくてもよい。
【００３１】
上記説明した設定装置１および端末４には、例えば、ＣＰＵと、メモリと、ハードディスク等の外部記憶装置と、入力装置と、出力装置とを備えた汎用的なコンピュータシステムを用いることができる。このコンピュータシステムにおいて、ＣＰＵがメモリ上にロードされた所定のプログラムを実行することにより、各装置の各機能が実現される。例えば、設定装置１および端末４の各機能は、設定装置１用のプログラムの場合は設定装置１のＣＰＵが、そして、端末４用のプログラム（設定アプリ）の場合は端末４のＣＰＵがそれぞれ実行することにより実現される。また、設定装置１用のプログラムおよび端末４用のプログラムは、ハードディスク、フレキシブルディスク、ＣＤ−ＲＯＭ、ＭＯ、ＤＶＤ−ＲＯＭなどのコンピュータ読取り可能な記録媒体に記憶することも、ネットワーク及びアプリマーケット等を介して配信することもできる。
【００３２】
次に、本実施形態の動作について説明する。
【００３３】
図２は、設定装置１が、使用者端末３からの要求を受け付けて、一般端末としての端末４を、特定用途用の端末４へ設定する処理、および特定用途サーバ２に特定用途用の環境を作成する処理を説明するための説明図である。
【００３４】
使用者は、使用者端末３を用いて、当該使用者の企業（または自治体）に関する企業情報を設定装置１に送信する（Ｓ１１）。例えば、使用者端末３は、設定装置１が提供する企業情報登録用Ｗｅｂページにアクセスし、当該Ｗｅｂページ上で使用者が入力したメールアドレスなどの企業情報を設定装置１に送信する。
【００３５】
設定装置１は、企業情報を受信すると、当該企業に対する企業アカウントおよびパスワードを発行し、発行した企業アカウントとパスワードとを対応付けて、企業アカウント記憶部１４に登録する（Ｓ１２）。
【００３６】
そして、設定装置１は、Ｓ１１で受信した企業情報に含まれるメールアドレスの使用者端末３に、企業アカウントおよびパスワードと、設定アプリ記憶部１７に記憶された設定アプリとを送信する（Ｓ１３）。
【００３７】
使用者は、使用者端末３が受信した設定アプリを、保有している端末４（一般端末）にインストールし、起動する（Ｓ１４）。これにより、設定アプリは、企業アカウント入力画面を当該端末４に接続されたＴＶ５のディスプレイに表示する。
【００３８】
使用者は、企業アカウント入力画面に、Ｓ１３で送信された企業アカウントおよびパスワードを入力する。設定アプリは、当該端末４にあらかじめ設定された端末ＩＤ（端末情報）を取得し、入力された企業アカウントおよびパスワードとともに設定装置１に送信する（Ｓ１５）。
【００３９】
設定装置１は、企業アカウント記憶部１４を参照して、端末４から受信した企業アカウントおよびパスワードの認証を行い、当該企業アカウント用の設定情報を、設定情報記憶部１５に登録する（Ｓ１６）。具体的には、設定装置１は、端末４から受信した企業アカウントおよび端末ＩＤを対応付けて端末情報テーブル１５１に登録する。また、設定装置１は、端末４から受信した企業アカウント用にいずれかの特定用途サーバ２を割り当て、当該特定用途サーバ２への接続先情報（特定用途サーバ２のアドレス、設定ファイルのアドレス）を、企業アカウントとともに接続先サーバ情報テーブル１５２に登録する。
【００４０】
そして、設定装置１は、割り当てた特定用途サーバ２に、当該企業アカウント用の環境（例えば、アプリ開発環境、マーケットプレイス環境、自治体サービス環境など）を作成する（Ｓ１７）。
【００４１】
端末４の設定アプリは、設定装置１から通知された接続先情報を用いて、特定用途サーバ２にアクセスし、当該特定用途サーバ２に作成された環境に格納された設定ファイルを端末４にダウンロードし、また、アプリを端末４にインストールすることで、特定用途に応じた端末４（例えば、開発アプリの検証用端末、自治体用端末、アライアンス企業用端末など）へのセッティングが完了する（Ｓ１８）。
【００４２】
図３は、図２で説明した本実施形態のシステムの処理を、より詳細に説明するためのシーケンス図である。
【００４３】
使用者は、使用者端末３を用いて、当該使用者の企業（または自治体など）に関する企業情報を設定装置１に送信する（Ｓ２１）。例えば、使用者端末３は、使用者の指示を受け付けて、設定装置１が提供する企業情報登録用のＷｅｂページにアクセスし、当該Ｗｅｂページ上で使用者が入力した企業情報を設定装置１に送信する。企業情報には、例えば、メールアドレス、企業名、所在地などの企業に関する情報が含まれる。
【００４４】
設定装置１の設定部１１は、使用者端末３から企業情報を受信すると、当該企業の企業アカウント（例えば、企業ＩＤなど）と、パスワードとを発行（生成）する。そして、設定部１１は、発行した企業アカウントと、パスワードとを対応付けて企業アカウント記憶部１４に登録する（Ｓ２２）。また、設定部１１は、受信した企業情報を、企業情報記憶部１６に企業アカウントとともに登録する。
【００４５】
図４は、企業アカウント記憶部１４の一例を示す図である。図示する企業アカウント記憶部１４には、企業毎に、企業アカウントと、パスワードとが対応付けて記憶されている。
【００４６】
そして、設定部１１は、Ｓ２１で受信した企業情報に含まれるメールアドレス宛に、発行した企業アカウントおよびパスワードと、設定アプリ記憶部１７に記憶された設定アプリ（自動セッティングアプリ）とを送信する（Ｓ２３）。これにより、使用者端末３は、企業アカウント、パスワードおよび設定アプリを受信する。設定アプリは、端末４を使用用途に応じた端末に設定するための設定支援アプリケーション（プログラム）である。
【００４７】
使用者は、使用者端末３が受信した設定アプリを、保有している端末４（特定用途用に設定する端末）にインストールし、起動する（Ｓ２４）。これにより、端末４で起動された設定アプリは、企業アカウント入力画面を当該端末４に接続されたＴＶ５のディスプレイに表示する（Ｓ２５）。なお、端末４がディスプレイを具備する場合は、端末４のディスプレイに、企業アカウント入力画面を表示することとしてもよい。
【００４８】
図５は、ディスプレイに表示される企業アカウント入力画面の一例を示す図である。図示する企業アカウント入力画面には、企業アカウントの入力欄と、パスワードの入力欄と、実行ボタンとが表示されている。
【００４９】
使用者は、企業アカウント入力画面に、Ｓ２３で送信された企業アカウントおよびパスワードを入力し、実行ボタンをクリックする。これにより、設定アプリは、当該端末４の図示しない記憶部にあらかじめ設定されている端末ＩＤ（端末情報）を取得し、当該端末ＩＤを入力された企業アカウントおよびパスワードとともに設定装置１に送信する（Ｓ２６）。
【００５０】
設定部１１は、端末４から受信した企業アカウントおよびパスワードが、企業アカウント記憶部１４に存在するか否かの認証を行い（Ｓ２７）、企業アカウント記憶部１４に存在する場合（認証に成功した場合）、当該企業アカウント用の設定情報を、設定情報記憶部１５に登録する（Ｓ２８）。
【００５１】
図６は、設定情報記憶部１５の一例を示す図である。図示する設定情報記憶部は、端末情報テーブル１５１と、接続先サーバ情報テーブル１５２とを備える。図６（ａ）の端末情報テーブル１５１は、端末ＩＤと、企業アカウント（または、端末グループ）とが対応付けて記憶される。Ｓ２８において、設定部１１は、端末４から受信した企業アカウントと端末ＩＤとを対応付けて端末情報テーブル１５１に登録する。
【００５２】
図６（ｂ）の接続先サーバ情報テーブル１５２は、企業アカウントと、特定用途サーバ２のアドレスと、設定ファイルのアドレスとが対応付けて記憶される。特定用途サーバ２のアドレスには、当該企業アカウント用の特定用途サーバ２のＵＲＬなどのアドレスが設定される。設定ファイルのアドレスには、対応する特定用途サーバ２に作成される当該企業アカウント用の設定ファイルのＵＲＬなどのアドレスが設定される。
【００５３】
Ｓ２８において、設定部１１は、端末４から受信した企業アカウント用にいずれかの特定用途サーバ２を割り当て、当該特定用途サーバ２内に当該企業アカウント用の設定ファイルの格納場所を割り当てる。そして、設定部１１は、割り当てた特定用途サーバ２のアドレスと設定ファイルのアドレスとを接続先情報として、企業アカウントとともに接続先サーバ情報テーブル１５２に登録する。
【００５４】
そして、環境作成部１２は、接続先サーバ情報テーブル１５２に登録した特定用途サーバ２に当該企業アカウント用の環境を作成・構築する（Ｓ２９）。具体的には、環境作成部１２は、図２の特定用途サーバ２に示すように、接続先サーバ情報テーブル１５２に登録した特定用途サーバ２の設定ファイルのアドレスに、当該企業アカウント用のフォルダを作成する。そして、環境作成部１２は、作成したフォルダの配下に当該企業アカウント用の設定ファイル、各種アプリなどを格納する。設定ファイルは、例えば、特定用途用の端末４に表示するトップ画面（ホームページ）、メニュー画面などの画面情報、端末４に設定する各種設定情報などである。また、各種アプリは、端末４に提供する特定用途の各種サービスのアプリケーションプログラムである。
【００５５】
なお、設定ファイルおよび各種アプリは、使用者があらかじめ設定装置１または設定装置１が割り当てた特定用途サーバ２にアップロードしておくものとする。
【００５６】
また、使用者の企業がアプリ開発会社であって、特定用途サーバ２が、アプリの開発および検証（テスト）目的のサーバの場合、環境作成部１２は、アプリの開発を容易にするために、サンプルアプリをあらかじめ格納しておくこととしてもよい。
【００５７】
そして、環境作成部１２は、環境作成が完了すると、環境設定完了通知を端末４に送信する（Ｓ３０）。端末４の設定アプリは、環境設定完了通知を受信すると、ディスプレイに環境設定が完了したことを通知する完了通知画面（またはメッセージ）を表示する。
【００５８】
図７は、ディスプレイに表示される環境設定の完了通知画面の一例を示す図である。使用者は、完了通知画面に表示されたＯＫボタンをクリックすることで、特定用途サーバ２への接続指示を入力する。端末４の設定アプリは、使用者が入力した接続指示を受け付けると（Ｓ３１）、接続要求を設定装置１に送信する（Ｓ３２）。なお、設定アプリは、当該端末４の端末ＩＤを取得し、接続要求とともに設定装置１に送信する。
【００５９】
設定装置１の接続制御部１３は、受信した接続要求に付加された端末ＩＤを用いて、当該端末４が特定用途用に設定された特定用途用の端末４か、あるいは、当該設定装置のサービスを利用する一般端末であるかを判別する（Ｓ３３）。例えば、接続制御部１３は、接続要求に付加された端末ＩＤが設定情報記憶部１５の端末情報テーブル１５１に存在する場合は特定用途用の端末４であると判別し、当該端末ＩＤが端末情報テーブル存在しない場合は、一般端末であると判別する。一般端末であると判別した場合、サービス提供部１８は、当該端末４に所定のサービスを提供する。
【００６０】
特定用途用の端末４であると判別した場合、接続制御部１３は、当該端末ＩＤに対応する企業アカウントを、設定情報記憶部１５の端末情報テーブル１５１から取得する。そして、接続制御部１３は、取得した企業アカウントに対応する接続先情報を、接続先サーバ情報テーブル１５２から取得し、端末４に送信する（Ｓ３４）。接続先情報は、具体的には、接続先サーバ情報テーブル１５２に設定された特定用途サーバ２および設定ファイルのアドレスである。
【００６１】
端末４の設定アプリは、接続先情報を受信すると、当該接続先情報を用いて特定用途サーバ２の当該端末４の企業アカウント用の環境（設定ファイルのアドレス）にアクセスし（Ｓ３５）、当該環境に格納された設定ファイルおよびアプリ（特定用途用アプリ）をダウンロードする（Ｓ３６）。そして、設定アプリは、ダウンロードした設定ファイルを読み込み、ダウンロードしたアプリをインストールする。これにより、設定アプリは、特定用途のホームページ画面をディスプレイに表示する。以上により、設定装置１にのみ接続される端末４（一般端末）から、用途に応じた特定用途用の端末４への切り替え設定が完了する。
【００６２】
図８、図９および図１０は、特定用途用の端末４のディスプレイに表示されるホームページ（トップページ）の画面例である。図８は、特定用途サーバ２が、アプリの開発および検証（テスト）目的のサーバの場合、当該特定用途用に設定された検証用端末４のディスプレイに表示されるホームページの一例を示す図である。図８では、複数のサンプルアプリと、複数の開発アプリとが配置されたメニュー画面が、ホームページとして表示されている。
【００６３】
図９は、特定用途サーバ２が、アライアンス企業用のサーバの場合、当該特定用途用に設定されたアライアンス端末４のディスプレイに表示されるホームページの一例を示す図である。図９では、当該アライアンス企業が提供する複数のアプリ（サービス）が配置されたメニュー画面が、ホームページとして表示されている。
【００６４】
図１０は、特定用途サーバ２が、自治体用のサーバの場合、当該自治体用に設定された自治体端末４のディスプレイに表示されるホームページの一例を示す図である。図１０では、当該自治体が提供する複数のアプリ（サービス）が配置されたメニュー画面が、ホームページとして表示されている。
【００６５】
以上説明した本実施形態の設定装置１では、端末４から送信される企業アカウントを受け付けて、当該企業アカウント用に割り当てられた特定用途サーバ２への接続先情報を設定情報記憶部１５に設定し、端末４から接続要求を受信すると、設定情報記憶部１５を参照して特定用途サーバ２の接続先情報を通知し、端末４を特定用途サーバ２に接続させる。
【００６６】
これにより、本実施形態では、設定装置１（商用サーバ）に接続される一般端末４を、特定用途用の端末４に容易に切り替えることができる。すなわち、本実施形態では、特定用途用の端末４を設定する作業負荷を軽減し、また、設定装置１の運用管理者の手動作業による特定用途用の環境設定作業を軽減し、短時間で一般端末から特定用途用の端末４への切り替えを実現することができる。
【００６７】
また、本実施形態の端末４は、設定装置１が提供する設定アプリをインストールすることで、当該端末４に設定された端末ＩＤ（端末情報）を自動で取得し、設定装置１に送信する。これにより、本実施形態では、端末ＩＤの取得ミスにより、意図しない端末４を、特定用途用の端末４に切り替えてしまうなどのヒューマンエラーを防止することができる。
【００６８】
なお、本発明は上記実施形態に限定されるものではなく、その要旨の範囲内で数々の変形が可能である。例えば、本実施形態では、企業アカウント毎に特定用途サーバ２を割り当てることとしたが、複数の企業アカウント（複数の特定用途）で１つの特定用途サーバ２を共有することとしてもよい。この場合、接続先サーバ情報テーブル１５２の設定ファイルのアドレスを異なるアドレスにすることで、複数の企業アカウントの共有は可能である。
【００６９】
また、上記実施形態の設定装置１は、サービス提供部１８を備え、端末４に所定のサービスを提供する商用サーバであるとしたが、これに限定されるのもではない。例えば、設定装置１は、サービス提供部１８を備えることなく、所定の商用サーバに接続される端末４を、特定用途用の端末４に切り替える設定装置であってもよい。
【符号の説明】
【００７０】
１    ：設定装置（商用サーバ）
１１  ：設定部
１２  ：環境作成部
１３  ：接続制御部
１４  ：企業アカウント記憶部
１５  ：設定情報記憶部
１５１：端末情報テーブル
１５２：接続先サーバ情報テーブル
１６  ：企業情報記憶部
１７  ：設定アプリ記憶部
１８  ：サービス提供部
２    ：特定用途サーバ
３    ：使用者端末
４    ：端末
５    ：ＴＶ（テレビ）
【図１】
2015197790.tif 000003
【図２】
2015197790.tif 000004
【図３】
2015197790.tif 000005
【図４】
2015197790.tif 000006
【図５】
2015197790.tif 000007
【図６】
2015197790.tif 000008
【図７】
2015197790.tif 000009
【図８】
2015197790.tif 000010
【図９】
2015197790.tif 000011
【図１０】
2015197790.tif 000012